(57)【要約】  本発明は、家具（１１）、特に、事務用家具および／または若者用家具に関し、本発明は、少なくとも１つの側壁（１４，１５）が設けられた本体（１１）を備えている。前方が開放され、側壁内に延伸した、少なくとも１つの保管室（２３，２４）が、家具の使用者と対面する、少なくとも１つの側壁（１４，１５）の前部（４２）に配置されている。この独創的な家具は、保管室（２３）を閉鎖するためのカバー部材（２６）を備えている。
2008536550.tif 000002
【特許請求の範囲】
【請求項１】
１つの本体（１１）と、少なくとも１つの側壁（１４，１５；１４'，１５'；６１）とを有する家具、特に、事務用家具および／または若年者用家具であって、
前記家具（１１；６０）の使用者と対面する前面側（４２）には、少なくとも１つの側壁が、少なくとも１つの前面側に開放され、前記側壁（１４，１５；１４’，１５’；６１）内に延伸する保管室（２３，２４，２３’）が配設され、該保管室は、該保管室（２３，２４，２３’）を閉鎖するためのカバー部材（２６）を有する
ことを特徴とする家具。
【請求項２】
請求項１に記載の家具であって、
前記カバー部材（２６）は、揺動式カバーである
ことを特徴とする家具。
【請求項３】
請求項１または請求項２に記載の家具であって、
前記保管室（２３，２４，２３’）には、少なくとも１つの機能部（３０）が配設されている、あるいは配設可能である
ことを特徴とする家具。
【請求項４】
請求項３に記載の家具であって、
前記少なくとも１つの機能部（３０）は、前記保管室（２３，２４，２３’）に対して揺動可能に配設されており、使用されていない場合には、前記保管室（２３，２４，２３’）内にたたみ入れられ、使用されるときには、前記保管室（２３，２４，２３’）から取り出されることが可能である
ことを特徴とする家具。
【請求項５】
請求項３または請求項４に記載の家具であって、
前記少なくとも１つの機能部（３０）は、前記保管室（２３，２４，２３’）に対してスライド可能に配設されており、使用されていない場合には、前記保管室（２３，２４，２３’）内に押し込まれ、使用されるときには、前記保管室（２３，２４，２３’）から引き出されることが可能である
ことを特徴とする家具。
【請求項６】
請求項３乃至請求項５のいずれかに記載の家具であって、
前記保管室（２３，２４，２３’）には、前記少なくとも１つの機能部（３０）のための保持具（２５）が配設されている
ことを特徴とする家具。
【請求項７】
請求項６に記載の家具であって、
前記保持具（２５）は、前記カバー部材（２６）により形成されている
ことを特徴とする家具。
【請求項８】
請求項６または請求項７に記載の家具であって、
前記少なくとも１つの機能部（３０）は、前記保持具（２５）にて交換可能に配設されている
ことを特徴とする家具。
【請求項９】
請求項３乃至請求項８のいずれかに記載の家具であって、
前記少なくとも１つの機能部（３０）は、略平坦状の設置面（５２）を有し、前記家具から離脱して使用可能である
ことを特徴とする家具。
【請求項１０】
請求項３乃至請求項９のいずれかに記載の家具であって、
前記少なくとも１つの機能部（３０）の１つの面、特に、下面は、前記カバー部材（２６）の機能部（３０）を形成している
ことを特徴とする家具。
【請求項１１】
請求項３乃至請求項１０のいずれかに記載の家具であって、
前記少なくとも１つの機能部（３０）は、テープカッター台（３２）、および／または鉛筆用削り器（３１）、および／または穴あけ器、および／またはバインダー、および／または修正テープローラー、および／またはレーザーポインター、および／または物差し、および／または消しゴム、および／または液体用ディスペンサー、または、特に、ゴムバンド、画鋲、メモ用紙等の物品用ディスペンサー、および／または灰皿、および／または鉛筆、あるいはハサミ用筒（４８）を含む
ことを特徴とする家具。
【請求項１２】
請求項１乃至請求項１１のいずれかに記載の家具であって、
前記カバー部材（２６）は、交換可能である
ことを特徴とする家具。
【請求項１３】
請求項１乃至請求項１２のいずれかに記載の家具であって、
前記カバー部材（２６）は、前記少なくとも１つの側壁（１４，１５；１４'，１５'；６１）の基部本体（３６；３６’）の前面側に配設されている補強金具（３５，３５’，４６）の構成部材である
ことを特徴とする家具。
【請求項１４】
請求項１３に記載の家具であって、
前記受入室は、全体、または少なくとも一部が、前記補強金具（３５，３５’，４６）のハウジング（３８，３８’）により形成されている
ことを特徴とする家具。
【請求項１５】
請求項１４に記載の家具であって、
前記保管室（２３，２４，２３’）の前側部分は、前記補強金具（３５，３５’，４６）により形成され、後側部分は、前記基部本体（３６；３６’）における袋状受け部（４７）により形成されている
ことを特徴とする家具。
【請求項１６】
請求項１３乃至請求項１５のいずれかに記載の家具であって、
前記補強金具（３５，３５’，４６）は、前記少なくとも１つの側壁（１４，１５；１４'，１５'；６１）の前記前面側（４２）の幅にほぼ一致した幅を有する
ことを特徴とする家具。
【請求項１７】
請求項１乃至請求項１６のいずれかに記載の家具であって、
前記カバー部材（２６）は、閉鎖した状態では、前記少なくとも１つの側壁（１４，１５；１４'，１５'；６１）の、隣り合う前方側面（３９，４０）と、ほぼ一直線に並んでいる
ことを特徴とする家具。
【請求項１８】
請求項１乃至請求項１７のいずれかに記載の家具であって、
前記保管室（２３，２４，２３’）は、角部領域（５４，６９）において、特に、角部上方において、前記少なくとも１つの側壁（１４，１５；１４'，１５'；６１）の、２つの前方側面（３９，４０）の間に配設されている
ことを特徴とする家具。
【請求項１９】
請求項１３乃至請求項１８のいずれかに記載の家具であって、
前記補強金具（３５，３５’，４６）は、角部領域（５４，６９）において、前記少なくとも１つの側壁（１４，１５；１４'，１５'；６１）の、２つの前方側面（３９，４０）の間に配設されており、または前記角部領域（５４，６９）を形成している
ことを特徴とする家具。
【請求項２０】
請求項１乃至請求項１９のいずれかに記載の家具であって、
前記カバー部材（２６）は、前記少なくとも１つの側壁（１４，１５；１４'，１５'；６１）の、隣り合う前方側面（３９，４０）の間に、斜めの、および／または円形の渡し部を形成している
ことを特徴とする家具。
【請求項２１】
請求項１乃至請求項２０のいずれかに記載の家具であって、
前記補強金具（３５，３５’，４６）のハウジング（３８，３８’）、および／または前記カバー部材（２６）は、前記保管室（２３，２４，２３’）を閉鎖する閉鎖位置において、前記少なくとも１つの側壁（１４，１５；１４'，１５'；６１）の、隣り合う前方側面（３９，４０）に対して、鈍角に、または斜めに、または湾曲して連続している
ことを特徴とする家具。
【請求項２２】
請求項１乃至請求項２１のいずれかに記載の家具であって、
事務用家具、特に、ローラー付きキャビネット、または事務机を形成する
ことを特徴とする家具。
【発明の詳細な説明】
【発明の詳細な説明】
【０００１】
本発明は、家具、特に、１つの本体と、少なくとも１つの側壁とを有する、事務用家具および／または若年者用家具に関する。
側壁は、例えば、収納室を形成する、あるいは少なくとも１つの引き出し甲板を内部に配設可能な、内部空間を区切るものである。側壁とは、例えば収納家具、キャビネットなどにおける、外部の側壁、あるいは中央の側壁のことである。小物用具類を収納するため、例えば、本体の内部空間に配設可能な、いわゆる小物用引き出しが知られている。小物用引き出しは、例えば、クリップ、鉛筆などを内部に収容可能な受入部、受入皿などを有している。
【０００２】
しかしながら、この種の本体の内部空間の中にある、小物用引き出し、あるいはその他の収容部は、他の目的にもはや使用することができない場所を必要とする。
したがって、本発明の課題は、序文のところで述べた種類の家具において、物を収容する能力を最大限にすることである。
【０００３】
この課題を解決するために、序文のところで述べた種類の家具において、少なくとも１つの側壁は、前記家具の使用者と対面する前面側に、前面側に開放され、前記側壁内に延伸する少なくとも１つの保管室が配設され、該保管室は、該保管室を閉鎖するためのカバー部材を有するようにされている。
【０００４】
家具における収納室は、側壁の中に新たに確保される保管室の、補足的な収納能力によって損なわれることはない。追加の保管室を利用することができるようになる。カバー部材によって保管室は美観上の理由から閉鎖可能になるので、保管室に収納される物品は汚れることもなく、また目に触れることもない。側壁における追加の保管室は、使用者によって容易に手が届くことができるものである。特に好ましいのは、保管室を側壁の前側上方角部領域における、いわゆる使用者の主要把握範囲に配設することであり、保管室を使用者の主要把握範囲に配設することで、最適な人間工学が実現される。
【０００５】
前面側は狭い側であり、いわゆる側壁の狭い側であり、目的に応じて幅の狭い面を下にして延設される。垂直に延設される側壁にも、本発明に基づく方法にて、保管室、および保管室に割り当てられたカバー部材が具備されてもよい。側壁は、外部の側壁、あるいは中央の側壁であってもよく、いわゆる仕切り壁である。有利な方法として、側壁は、本体における引き出しのための、内部室、収納室、あるいは受入室を区切る。
【０００６】
本発明の好適な実施形態において、カバー部材は、揺動式カバーである。差し込み式部品、スライド式カバー、あるいはローラーシャッター部材の形態によるカバー部材も考えられる、と理解することができる。
【０００７】
好適には、例えば、さまざまな、および／または異なる色を有するカバー部材を家具に固定できるように、カバー部材は、交換可能である。
保管室の中には、目的に応じて、少なくとも１つの機能部が、配設され、好ましくは配設可能である。機能部は、家具から離脱可能であり、また目的に応じて、家具から離脱して使用することも可能である。その理由は、例えば、機能部の下面側は、設置面として床面上に適合しているからである。機能部は、家具の使用者の方を向いた側壁の狭い側に容易にアクセスできるため、直ちに使用することができる。機能部は、例えばテープカッター台、または鉛筆用削り器、または穴あけ器、またはバインダー、または修正テープローラー、またはレーザーポインター、または物差し、または消しゴム、または液体用ディスペンサー、または物品用ディスペンサーであってもよい。ディスペンサーとしては、例えばゴムバンド、または画鋲、またはメモ用紙、または特に粘着面または接着面を持ったものを用意すればよい。灰皿、または鉛筆用筒、またはハサミ用筒も、機能部として家具に具備してもよい。この関係において、複数の機能部、例えば家具の１つの側壁にそれぞれ１つの機能部があっても有効であることが強調される。
【０００８】
機能部は、保管室に対して可動式、例えば揺動可能、またはスライド式とすることが好適であり、機能部が保管室に対して揺動可能、またはスライド式であることで、機能部を、保管室から使用のために回動して取り出し、および／またはスライドして引き出し、また使用しない場合には、機能部を、保管室に回動させて収容し、および／またはスライドして押し入れることができる。例えば、受入室内の筒は、スライド式に、および／または揺動可能に配設されているので、機能部を使用しない場合には、機能部を受入室内にスライドして押入れ、もしくは使用時には、機能部を受入室から引き出すことができる。
【０００９】
本発明の好適な実施形態では、機能部は、例えば電動式制御ユニットを含んでいる。制御ユニットは、例えば操作部、特に、遠隔操作装置である。好適には事務机、あるいはその他の機能家具のような家具の場合には、前記制御ユニットにて、例えば、机の板面などの高さ調整、傾斜位置の調整が可能となる。
【００１０】
保管室の近傍、または保管室の中、またはカバー部材によって閉鎖可能な保管室の開口部には、好適な方法で機能部のための保持具が配設されている。前記保持具は、分割され、保管室の中に配設された保持具であってもよい。特に好ましくは、カバー部材が、保持具を形成するということであり、例えば揺動式カバーとして構成されるということである。前記機能部は、好適な方法で保持具に交換可能に配設されている。例えば、機能部は、保持具に差し込み可能であり、保持具と係合可能、または同等の形となる。ボルト、接着剤などを用いて保持具に固定することも、好適であると理解される。
【００１１】
実施例の範囲内では、開示されていない本発明の変形例として、機能部の下面側にカバー部材を形成させることも可能である。前記機能部は、例えば逆向きに受入室内に挿入される。さらに機能部は、いわゆる揺動部とすることができ、機能部の下面側は、機能部が保管室内部に回動し入り込んだ状態で、カバー部材を形成、または保管室を閉鎖する。
【００１２】
カバー部材は、好ましくは、少なくとも１つの側壁の前面側の基部本体に取り付けられた、補強金具の構成部材を形成する。前記補強金具は、側壁の一体構成部材を形成し、この一体構成部材は、基部本体と補強金具とからなる。この種の複数の補強金具は、本発明に基づく家具において、異なる側壁部、あるいは同一の側壁部にあってもよいと理解される。
【００１３】
受入室は、好適には、全部、または少なくとも一部が、補強金具のハウジングによって形成される。少なくとも一部が補強金具のハウジングによって形成される形態の場合には、保管室の前側部分は、補強金具、または補強金具のハウジングによって、また後側部分は、例えば、合板、または木質繊維板、またはその他の板状部材の、基部本体における袋状の受け部によって形成されている。基部本体は、板状であることが好ましい。
【００１４】
補強金具は、少なくとも１つの側壁の前面側、または狭幅側の幅に、ほぼ一致する幅を有している。補強金具が少なくとも１つの側壁の前面側、または狭幅側の幅にほぼ一致する幅を有していることにより、補強金具が側壁の一体型構成部材として見えるような、好適な外観とすることができる。
【００１５】
カバー部材は、好適には、閉鎖した状態で、側壁の隣り合う前方側面とほぼ一直線に並んでいるが、例えば、前記前方側面とカバー部材とが、ほぼ同一面にあり、互いに角度をなして配設されていないような場合のことである。前記前方側面とカバー部材は、調和して互いに重なり合う。
【００１６】
本発明の特に好ましい変形例においては、保管室は、角部領域において、特に少なくとも１つの側壁の、２つの前方側面の間にある角部にまたがって配設されているように設定されている。前記角部領域は、好適には、使用者の主要把握範囲における、前方、上方角部領域である。例えば、補強金具は、前記角部領域を形成し、または少なくとも前記角部領域に配設されている。前記補強金具は、例えば家具の前面側に配備された受け樋を、側面方向に区切ることができる。
【００１７】
前記カバー部材は、好適には、側壁の隣り合う前方側面の間に、斜めの、または円形の渡し部を形成している。前記カバー部材は、例えば側壁の隣り合う前方側面に連続する、斜め、または丸い輪郭を持っている。
【００１８】
特に好ましくは、前記カバー部材は、保管室を閉鎖する閉鎖位置において、前記少なくとも１つの側壁の、隣り合う前方側面に対して、鈍角に連続しているということである。前記カバー部材は、隣り合う前方側面に対して、斜めに、または湾曲して配設されることも可能であると理解される。
【００１９】
本発明に基づく家具は、好ましくは、事務用家具、例えば、収納家具、またはローラー付きキャビネット、または事務机である。特に好ましい範囲は、若年者用家具、または子供用家具である。
【００２０】
以下に本発明の実施例を図面に基づいて説明する。
図１に基づく家具１０は、例えば大人用、若年者用、あるいは子供用の事務（勉強）机であり、家具１０において、支持枠１１は、傾斜調整が可能な、および／または高さ調整が可能な机の板面を好適に搭載している。家具１０は、３つの側壁１３，１４，１５を有する。側壁１３は、例えば支持枠１１の構成部材を形成する一方、側壁１４，１５は、下方構造部１７のケース１６の構成部材であり、机の板面１２の下半部の支持枠１１部に配設されたものである。また概して、支持枠１１が本発明に基づく家具フレーム用の支持具ということもできるが、その理由は、全ての側壁１３〜１５が、原則的に本発明に基づく方法によって、保管室、およびカバー部材を配設することができるからである。しかしながら、実施例においては、本発明に基づいて、下方部材１２の側壁１４，１５だけしか配設されていない。側壁１３，１５は、外部側壁を形成し、側壁１４は、中央側壁を形成する。尚、中央側壁は、中間壁とも称される。
【００２１】
側壁１４，１５の他に、上方、および下方壁１８，１９は、下方構造部１７の内部空間２０を区切り、その中には、例えば、箱、あるいは実施例の場合のように、引き出し２１を配設することができる。引き出し２１は閉鎖可能なものにすることができる。引き出し２１はグリップバーを用いて、短い押圧操作、あるいは図２に示されたグリップ５３を利用し、ケース１６から引き出すことが可能である。引き出し２１の上半部を、側壁１４，１５によって、側面側が区切られたトレイ、例えば、受け樋２２が連続する。家具１０の使用者は、引き出し２１、および受け樋２２に物品を保管することができるだけでなく、補足的に側壁１４，１５の上方斜めの前方側面４２に開口している、側壁１４，１５における保管室２３，２４にも保管することができる。保管室２３，２４は、カバー部材２６、例えばカバー２７を用いて閉鎖することが可能であるので、保管室２３，２４に保管されている物品は、目に触れることなく、また汚れからも保護されている。
【００２２】
カバー２７は、揺動軸２８を中心に揺動可能な揺動カバー、またははね開き式カバーである。回動し入り込んだ状態において、カバー２７は、保管室２３，２４に通じている開口部２９を閉じる。回動しきった状態において、カバー２７は、開口部２９を開放する。
【００２３】
カバー２７の前方には、ピン状の揺動突起部３７が側面方向に突出しており、関連しながら、図面中に図示されていない受け部が、補強金具３５のケーシング３８に着座し、またそれにより揺動軸受構造が形成される。揺動軸２８は揺動突起部３７を貫通している。
【００２４】
回動しきった状態、すなわち開放状態において、カバー２７は、同時に機能部３０、すなわち鉛筆用削り器３１、およびテープカッター台３２用のトレイを形成する。しかしながら、カバー２７は、はね上がった状態において、側壁１４，１５の下面３３にて自身を支えている。カバー２７における波状溝３４は、扱い易さ、すなわちカバー２７のはね上がりを容易にする。
【００２５】
機能部３０は、カバー２７に交換可能に、例えば差し込み可能、および／または係合可能、および／またはクランプ可能に配設されており、機能部３０は、図５ａ〜５ｃに図示されている。カバー２７は、好適な形で、機能部３０のための保持具２５、および／またはガイドを形成する。
【００２６】
カバー２７は、板状の基部本体３６に、例えば、合板、または木質繊維板、または同類のものが配設された補強金具３５の構成部材である。補強金具３５は、例えば基部本体３６に接着されており、ネジ止め、またはその他の方法にて強固に基部本体３６に連結されている。補強金具３５、および基部本体３６は、統合ユニット、および全体として側壁１４，１５を形成している。
【００２７】
機能部３０を取り外した場合に、カバー２７が補強金具３５から外れないように、補強金具３５に確実に留まっているように、例えば係合等により、強固に取り付いていることが好ましい。しかしながら、カバー２７が、例えば補強金具３５のケーシング３８から、取り外し可能になるような形で、本発明の一実施形態とすることもできる。
【００２８】
補強金具３５は、側壁１４，１５の前方側面の輪郭に調和しながら融合する。補強金具３５、特にそのカバー２７は、側壁１４，１５の狭い前面、および上方側にて、隣り合う、上方、および前方側面３９，４０間の、傾斜した通路を形成する。斜めに連続するカバー２７、ならびにケーシング３８の前方壁部分４１は、それぞれのカバー２７、すなわちカバー２７の上半部、および下半部を除いて、側壁１４，１５の前方、上方角部領域５４において、全体として斜めの前方側面４２を形成する。
【００２９】
補強金具３５、もしくはケーシング３８の幅は、板状基部本体３６の幅とほぼ一致しているので、調和したユニットが生まれる。例えば、ケーシング３８の側方壁面部分４３は、板状基部本体３６の平坦側に、ほぼ一直線に並べることができる。
【００３０】
壁面部分４３は、基部本体３６の平坦側４４手前の、例えば、０．２〜２ｍｍだけ側方に立設することができ、および／または平坦側４４は、例えば壁面部分４３の外部周辺領域に、カバーすることができると理解される。壁面部分４３は、周辺領域にて、基部本体３６に向かって丸みがつけられており、丸みがつけられていることにより異なる形状のものでも、別段の処置なしに形成することが可能となる。ケーシング３８は、特に、閉鎖状態におけるカバー２７が、側壁１４，１５の、隣り合う前方側面３９，４０に対して、鈍角に連続する。
【００３１】
補強金具３５のケーシング３８は、保管室２３，２４を形成し、すなわち基部本体３６内部には、分離した、補足的な受入室は形成されない。補強金具３５は、それに従い、基本的に任意の、一致した幅を有する全ての板部材の前方側面に、全体として本発明に基づく側壁を形成するために、配設されることができる。
【００３２】
変形例は、その側壁１５’に基本的に補強金具３５と同じ形式の補強金具３５’を、また側壁１４’に基本的に補強金具３５と同じ補強金具４６を持った、図６に基づく下方構造部１７’によって実現されるが、しかしこれとは異なり、基部本体３６’の方を向いている前方側面は開放されているので、保管室２３’は、一方においては補強金具４６により、また他方においては基部本体３６’により形成される。保管室２３’は、すなわち補強金具４６のケーシング３８’により、また袋状受け部４７により、全体が形成される。保管室２３’は、側壁１４’の前方、上方角部領域５４から、斜めに後方、下方に延びるので、例えば、物差しのような、あるいは実施例の場合のように、機能部３０を形成している筒４８のような長い物品の保管も可能になる。
【００３３】
鉛筆用ブロック、または筒４８は、鉛筆５０、ハサミなどを受けるための受け部、あるいは穴４９を持っている。筒４８は保管室２３’に、いわゆる沈み込ませることが可能で、すなわちカバー２７’を開けた後に、基部本体３６の厚さより狭い筒４８は、例えば筒４８のところの取っ手５１、例えば横桟、突起部、あるいはその他の操作装置をつかむことによって、保管室２３’から斜めに上方に向かって引き出すことができる。使用していない場合には、家具１１の使用者は、筒４８を保管室２４の中に、すなわち斜め下方に向かって戻し込み、そしてカバー２７’を、例えばその閉鎖位置に回動させることにより閉めることができる。
【００３４】
鉛筆用削り器３１は、好適には、略平坦状の設置面、例えば略平坦状の設置面に相当する下方側面５２を持っているので、例えば、机の板面１２上に、あるいは家具１０から離脱させても設置可能、および使用可能である。
【００３５】
図７に基づくローラー付きキャビネット６０の場合、側壁６１、カバー６２、ならびに図示されていない下方壁は、ローラーシャッター６３により閉鎖が可能なケース６８の内部室６４を区切る。斜め上方手前、すなわちカバー壁面６２とローラーシャッター６３との間に、ローラー付きキャビネット６０の横方向に延伸しているのが受け樋６５である。受け樋６５の横近傍における側壁６１の角部領域６９に、補強金具３５が配設されているので、ローラー付きキャビネット６０も、カバーによって閉鎖することが可能なそれぞれの保管室を側壁６１に配設された、本発明に基づく家具を形成する。補強金具３５は、例えば機能部３０を受けることができる。
【００３６】
図１〜６、および図７に基づく実施例では、本発明に基づく家具の側壁内の角部に、それぞれ１つずつ配設された保管室が記載されている。他の狭い前方側面にも、相応した受入室が、例えば側壁６１の前側の前方側面６６、および／または上方前方側面６７にも基本的には配設されることが可能である。
【００３７】
側壁１４，１５の前方側面４２が、斜めに連続することによって、下方構造部１７の前方、上方領域における、鋭い前面角部が回避される。意味上は同じことがローラー付きキャビネット６０にも当てはまる。
【図面の簡単な説明】
【００３８】
【図１】下方構造部を有する事務机の形態における本発明に基づく家具であり、その側壁にはそれぞれ、本発明に基づいて構成された、カバー部材にて閉鎖が可能な保管室が配設されている図である。
【図２】カバー部材が閉鎖された、図１における下方構造部の斜視図である。
【図３】カバー部材が開放された、図２における下方構造部の斜視図である。
【図４】開放したカバー部材、および前記カバー部材内部に配設されている２つの機能部を有する、図２，３における下方構造部の図である。
【図５ａ−ｂ−ｃ】図３における前記カバー部材から全体が離間した機能部、一部が離間した機能部、および離間していない機能部の図である。
【図６】代わりの機能部を有する図２，３における下方構造部の図である。
【図７】本発明に基づく保管室、およびカバー部材を側壁に有する、本発明に基づく家具の第２実施例としてのローラー付きキャビネットの図である。
【図１】
2008536550.tif 000003
【図２】
2008536550.tif 000004
【図３】
2008536550.tif 000005
【図４】
2008536550.tif 000006
【図５ａ】
2008536550.tif 000007
【図５ｂ】
2008536550.tif 000008
【図５ｃ】
2008536550.tif 000009
【図６】
2008536550.tif 000010
【図７】
2008536550.tif 000011
【国際調査報告】
2008536550.tif 000012
2008536550.tif 000013
2008536550.tif 000014
2008536550.tif 000015
2008536550.tif 000016
2008536550.tif 000017